【事件の表示】
　平成１１年特許願第２８１７８９号「カラーＥＬ表示装置」拒絶査定不服審判事件〔平成１２年　８月１５日出願公開、特開２０００−２２７７７１〕について、次のとおり審決する。
【結　論】
　本件審判の請求は、成り立たない。
【理　由】
１．手続の経緯・本願発明
　本願は、平成１１年１０月１日の出願（特願平１０−３４１８６０号に基づく国内優先権主張日は平成１０年１２月１日）であって、平成１５年６月２４日付けで拒絶の査定がなされ、平成１５年７月３０日に審判請求がなされると共に、同年８月２９日付けで手続補正がなされた。
　それに対し、平成１６年１２月１７日付けで当審より拒絶の理由が通知され、平成１７年２月２１日付けで意見書および手続補正書が提出されたものである。
　その請求項８に係る発明（以下、「本願発明」という。）は、平成１７年２月２１日付けの手続補正書により補正された明細書及び図面の記載からみて、その特許請求の範囲の請求項８に記載された次のとおりのものと認める。
　「陽極と陰極間に発光層を有するが蒸着されたＥＬ素子と、水平方向に伸びるゲートラインと、垂直方向に伸びるドレインラインと、前記ゲートラインに接続された第１の薄膜トランジスタと、前記第１の薄膜トランジスタによって選択されて前記ＥＬ素子を駆動する第２の薄膜トランジスタと、該第２の薄膜トランジスタへ供給する電圧を保持するコンデンサとを備えたアクティブ型のカラーＥＬ表示装置の製造方法において、水平方向にゲートラインを、垂直方向に前記ドレインラインをそれぞれ形成し、発光領域が形成される領域のに垂直方向に隣接する領域に前記第１の薄膜トランジスタを形成しが配置され、前記発光領域が形成される領域のに水平方向に隣接する領域に前記第２の薄膜トランジスタを形成し、前記発光層をマスクを用いて蒸着形成し、前記ゲートラインが伸びる方向において隣り合う発光領域の色を異ならせるが配置されていることを特徴とするカラーＥＬ表示装置の製造方法。」
　
２．当審の拒絶理由
　一方、当審において平成１６年１２月１７日付けで通知した拒絶の理由の概要は、本願発明は、本願の国内優先日前に頒布された、特開平１０−９２５７４号公報、特開平１０−２８９７８４号公報、特開平８−２２７２７６号公報に記載された発明に基づいて当業者が容易に発明をすることができたものであるから、特許法第２９条第２項の規定により特許を受けることができない、というものである。
　
３．引用例
　当審の拒絶理由で提示した特開平１０−２８９７８４号公報（以下、「引用刊行物１」という。）には、
　「【請求項１】  絶縁性基板上に、陽極及び陰極により挟持された、少なくとも有機発光層から成る有機電界発光セルと、前記絶縁性基板上に有機電界発光セルを駆動するアクティブ・マトリクス回路を設けた有機電界発光素子であって、透明支持体を前記絶縁性基板と対向して配置させ、有機電界発光セルからの発光を変換する発光変換層を透明支持体上に設けたことを特徴とする有機電界発光素子。」
　「【００１３】ＴＦＴの構造は、図２には、逆スタガ型と呼ばれるものを示してある。ゲート電極２、ゲート絶縁膜３、半導体層４、オーミックコンタクト層５、ソース及びドレイン電極６ａ，６ｂから成る。図２には最終段のＴＦＴしか示していないが、有機電界発光セルをアクティブ駆動させるためには、少なくとも２個のスイッチング用ＴＦＴと１個のコンデンサが必要である。具体的な回路構成例を図３に示す。図３のアクティブ駆動回路を平面状に模式的に示したものを図４に示す。」
　「【００１８】下部電極、上部電極の形成方法は、抵抗加熱方式または電子ビーム方式による真空蒸着法、スパッター法、ＥＣＲスパッタ法、イオンビームスパッタ法等が用いられる。次に、有機発光層９の構造について説明する。発光材料を単層で形成することも可能であるが、発光効率を高くするためには、正孔輸送層と電子輸送層を少なくとも含む構造が望ましい。図５は・・・各々表わす。」
　「【００２２】上記の正孔輸送材料を塗布法あるいは真空蒸着法により前記下部電極２２上に積層することにより正孔輸送層４１を形成する。塗布法の・・・が好ましい。」
　「【００２９】電子輸送層４２の膜厚は、・・・である。電子輸送層も正孔輸送層と同様の方法で形成することができるが、通常は真空蒸着法が用いられる。素子の・・・られる。」
なる記載とともに、【図３】でアクティブ駆動回路が示され、【図４】には【図３】で示されたアクティブ駆動回路を配置したものが示されている。
　これらの記載と図面により引用刊行物１から、
（ａ）陽極及び陰極により挟持された、有機発光層から成る有機電界発光セル。（【請求項１】）
（ｂ）下部電極、上部電極、および正孔輸送層と電子輸送層からなる有機発光層は真空蒸着法で形成される。（【００１８】、【００２２】、【００２９】）
（ｃ）図面における横方向（以下、「水平方向」という。）に伸びる走査線（３１）と、図面における縦方向（以下、「垂直方向」という。）に伸びるデータ線（３５）がある。（【図４】）
（ｄ）走査線（３４）に接続されたＴＦＴ１（３１）がある。
（ｅ）ＴＦＴ１（３１）によって選択されて画素下部電極（３７）とコモン線（３６）を導通させるＴＦＴ２（３２）がある。（【図３】）
（ｆ）ＴＦＴ２（３２）に供給する電圧を保持するコンデンサ（３３）がある。（【図３】）
（ｇ）画素下部電極（３７）の垂直方向に隣接する領域にＴＦＴ１（３１）がある。（【図４】
（ｈ）画素下部電極（３７）の水平方向に隣接する領域にＴＦＴ２（３２）がある。（【図４】
を読み取ることができるので、引用刊行物１には、以下の発明（以下、「引用発明」という。）が記載されている。
　「陽極と陰極により挟持された、真空蒸着法で形成された有機電界発光セルと、水平方向に伸びる走査線と、垂直方向に伸びるデータ線と、前記走査線に接続されたＴＦＴ１と、前記ＴＦＴ１によって選択されて画素下部電極とコモン線を導通させるＴＦＴ２と、該ＴＦＴ２へ供給する電圧を保持するコンデンサとを備えたアクティブ型の有機電界発光素子の製造方法において、水平方向に走査線を、垂直方向にデータ線をそれぞれ形成し、画素下部電極の垂直方向に隣接する領域に前記ＴＦＴ１が配置され、前記画素下部電極の水平方向に隣接する領域に前記ＴＦＴ２を形成することを特徴とする有機電界発光素子の製造方法。」
　同、特開平８−２２７２７６号公報（以下、「引用刊行物２」という。）には、「有機エレクトロルミネッセンスディスプレイパネルとその製造方法」の発明が開示され、
　「【００１３】図２に示すように、この有機ＥＬディスプレイパネルの基板２上には、互いに直交する位置に電気的に離間して配列された共通走査信号ライン３及び共通データ信号ライン４が設けられ、さらに走査信号ライン及びデータ信号ラインに接続された非線形素子５と、非線形素子に接続された発光部Ｒ、Ｇ及びＢに対応する複数の島状の第１表示電極６とが表面の略同一平面上に形成されている。」
　「【００２１】図１０に示すように、この成膜用マスク３０を千鳥格子状に配列した開口３１を有するものとして、これを図の矢印に示すように隔壁付き基板２上にて順次移動して、Ｒ媒体、Ｇ媒体及びＢ媒体の最低３回のマスク蒸着を行う。図１１（ａ）〜（ｄ）で、この隔壁付き基板を用いて有機ＥＬディスプレイパネルを作製する発光層形成工程及び第２表示電極形成工程を順を追って説明する。図ではＲＧＢ３色のみの１画素のみの説明であるが、実際は２次元に複数個の画素を同時に形成するのはもちろんである。」
なる記載および【図２】、【図１０】を参照すれば、
（ｉ）カラー有機ＥＬディスプレイパネルの製造方法において、Ｒ媒体、Ｇ媒体およびＢ媒体をマスクを用いた蒸着形成で行う。（【００２１】、【図１０】）
（ｊ）走査信号ライン（３）が伸びる方向において隣り合う発光領域の色が異なる。（【００１３】、【図２】）
を読み取ることができる。
　
４．対比
　本願発明と引用発明を比較すると、引用発明における「陽極と陰極により挟持された、真空蒸着法で形成された有機電界発光セル」、「水平方向に伸びる走査線」、「垂直方向に伸びるデータ線」、「走査線」、「ＴＦＴ１」、「ＴＦＴ２」および「有機電界発光素子」は、本願発明における「陽極と陰極間に発光層を有するが蒸着されたＥＬ素子」、「水平方向に伸びるゲートライン」、「垂直方向に伸びるドレインライン」、「ゲートライン」、「第１の薄膜トランジスタ」、「第２の薄膜トランジスタ」および「ＥＬ表示装置」にそれぞれ相当するので、両者は、
　「陽極と陰極間に発光層を有するが蒸着されたＥＬ素子と、水平方向に伸びるゲートラインと、垂直方向に伸びるドレインラインと、前記ゲートラインに接続された第１の薄膜トランジスタと、前記第１の薄膜トランジスタによって選択される第２の薄膜トランジスタと、該第２の薄膜トランジスタへ供給する電圧を保持するコンデンサとを備えたアクティブ型のＥＬ表示装置の製造方法において、水平方向にゲートラインを、垂直方向に前記ドレインラインをそれぞれ形成したことを特徴とするＥＬ表示装置の製造方法。」
で一致し、以下の点で相違する。
［相違点１］
　本願発明では「第２の薄膜トランジスタ」は「ＥＬ素子を駆動する第２の薄膜トランジスタ」とされているのに対して、引用発明では「ＴＦＴ２」は「画素下部電極とコモン線を導通させる」とされている点。
［相違点２］
　本願発明では「発光領域が形成される領域のに垂直方向に隣接する領域に前記第１の薄膜トランジスタを形成し」とされているのに対して、引用発明では「画素下部電極の垂直方向に隣接する領域に前記ＴＦＴ１が配置」とされている点。
［相違点３］
　本願発明では「発光領域が形成される領域のに水平方向に隣接する領域に前記第２の薄膜トランジスタを形成」とされているのに対して、引用発明では「画素下部電極の水平方向に隣接する領域に前記ＴＦＴ２が配置」とされている点。
［相違点４］
　本願発明では「発光層をマスクを用いて蒸着形成」とされているのに対して、引用発明ではそのような記載がない点。
［相違点５］
　本願発明では「ゲートラインが伸びる方向において隣り合う発光領域の色を異ならせるが配置されていることを特徴とそるカラーＥＬ表示装置の製造方法」であるのに対して、引用発明は「有機電界発光素子の製造方法」である点。
　
５．判断
［相違点１］について
　引用発明において「画素下部電極とコモン線を導通させる」ことは、画素下部電極に電位を与えて有機電界発光素子を発光させることになるので、本願発明における「ＥＬ素子を駆動する」と実質的に同じであり、［相違点１］は単なる表現上の相違にすぎず、実質的な相違点ではない。
［相違点２］、［相違点３］について
　引用発明における「画素下部電極」はその上に「有機発光層」が形成され、発光領域となることから、引用発明における「画素下部電極の垂直方向に隣接する領域」、「画素下部電極の水平方向に隣接する領域」は、本願発明における「発光領域が形成される領域のに垂直方向に隣接する領域」、「発光領域が形成される領域の水平方向に隣接する領域」のそれぞれと実質的に同じ領域を意味するので、［相違点２］、［相違点３］はいずれも実質的な相違点ではない。
［相違点４］、［相違点５」について
　引用刊行物２には、カラー有機ＥＬディスプレイパネルの発光層をマスクを用いて蒸着形成を行う点、また、本願発明におけるゲートラインに相当する走査信号ラインが伸びる方向において隣り合う発光領域の色を異ならせる配置による製造方法の発明が開示されているので、引用発明に引用刊行物２記載の発明を適用して「発光層をマスクを用いて蒸着形成し、前記ゲートラインが伸びる方向において隣り合う発光領域の色を異ならせるが配置されていることを特徴とするカラーＥＬ表示装置の製造方法。」とすることに何ら困難性はなく、阻害する要因も見いだせない。
　
　以上、検討したように、本願発明と引用発明の相違点は実質的な相違点でないか、あるいは引用刊行物２に基づいて当業者が容易に想到し得る構成である。
　また、本願発明の奏する効果についても当業者が当然予測できる範囲内のものと認められる。
　
　なお、当審は平成１７年２月２１日付の手続補正書により補正された特許請求の範囲に対して、周知例としてＷＯ９８／３６４０６（国際公開日１９９８年８月２０日）を提示して請求人の意見を求めた結果、請求人は補正案を提示したが、提出された補正案によっても先の拒絶理由を取り消すべき理由がない。
　
６．むすび
　したがって、本願発明は、引用刊行物１乃至２に記載された発明に基づいて当業者が容易に発明することができたものであるから、特許法第２９条第２項の規定により特許を受けることができない。
　よって、結論のとおり審決する。